(57)【要約】【課題】トラッキングサーボ制御を行うための物理的な溝構造を持つガイド層とデータの記録再生を行う記録層に溝構造を持たない記録層を持つグルーブレス光ディスクでは、光ディスクの部分的反り傾きにより、記録層の仮想トラックからの位置ずれが発生し、記録中断位置からの追加記録において、繋ぎトラック位置の連続性精度の低下、記録品位低下の可能性があった。【解決手段】記録層へ集光する対物レンズと光ディスクとの相対チルト量が所定値以下となる光ディスク上アドレス位置にて記録停止、追加記録の開始を実施することにより達成される。また、光ディスクを取り出し操作を実施することで、記録を中断した記録層への追加記録を禁止することにより達成される。【選択図】図１
2013206494.tif 000002
【特許請求の範囲】
【請求項１】
アドレス情報が付加されたトラックを有するガイド層とデータを記録する記録層を積層して形成した光ディスクに対して情報の記録を行なう光ディスク装置であって、
前記ガイド層用のレーザ光を出射するガイド層用光源と、
前記記録層にデータを記録するためのレーザ光を出射する記録層用光源と、
前記ガイド層用光源及び前記記録層用光源から出射されたレーザ光をガイド層と記録層へそれぞれ集光するための対物レンズと、
該対物レンズと光ディスクとの相対チルト量を検出するチルト検出部と、
前記記録層用光源のレーザ発光を停止して前記記録層への記録動作を停止する記録停止部と、
前記光ディスクに対してデータを記録しているときに、前記チルト検出部により検出された前記相対チルト量が所定値以下となる領域で前記記録停止部による記録動作の停止を行なうよう制御する制御部とを備えることを特徴とする光ディスク装置。
【請求項２】
請求項１に記載の光ディスク装置であって、
前記制御部は、前記光ディスクに対してデータを記録しているときに、当該記録データの最終記録位置から無効データを前記記録層に対して記録し、前記チルト検出部により検出された前記相対チルト量が所定値以下の領域において、前記記録停止部による記録動作の停止を行なうよう制御することを特徴とする光ディスク装置。
【請求項３】
請求項１に記載の光ディスク装置であって、
前記制御部は、前記記録停止部による記録動作の停止を行なう前記相対チルト量の当該所定値を、前記記録層と前記ガイド層との層間距離に応じて設定することを特徴とする光ディスク装置。
【請求項４】
アドレス情報が付加されたトラックを有するガイド層とデータを記録する記録層を積層して形成した光ディスクに対して情報の記録を行なう光ディスク装置であって、
前記ガイド層用のレーザ光を出射するガイド層用光源と、
前記記録層にデータを記録するためのレーザ光を出射する記録層用光源と、
前記ガイド層用光源及び前記記録層用光源から出射されたレーザ光をガイド層と記録層へそれぞれ集光するための対物レンズと、
前記記録層用光源のレーザ発光を停止して前記記録層への記録動作を停止する記録停止部と、
装着された光ディスクの取り外しを行なう光ディスク取り外し部と、
前記光ディスク取り外し部により光ディスクの取り外しを行なう場合、前記記録停止部によりデータ記録を停止した記録層への追加記録を禁止する情報を前記光ディスクの管理情報領域に記録するよう前記記録層用光源を制御する制御部とを備えることを特徴とする光ディスク装置。
【請求項５】
請求項１に記載の光ディスク装置であって、
該相対チルト量が所定範囲となるガイド層のアドレス情報を算出するアドレス情報算出部を備え、
前記制御部は、前記アドレス情報算出部が記録データの最終アドレスよりも後方アドレスにて記録動作の停止アドレスを算出し、前記記録層用光源が前記記録データの最終アドレスから記録動作停止アドレスまで無効データを記録するよう制御することを特徴とする光ディスク装置。
【請求項６】
請求項１に記載の光ディスク装置において、
該相対チルト量が所定範囲となるガイド層のアドレス情報を算出するアドレス情報算出部を備え、
前記制御部は、記録動作を停止する前記アドレス情報算出手段が、記録データの最終アドレスから光ディスク１回転内の記録停止アドレスを算出し、前記記録層用光源が前記記録データの最終アドレスから記録動作の停止アドレスまで無効データを前記記録層に対して記録するよう制御することを特徴とする光ディスク装置。
【請求項７】
アドレス情報が付加されたトラックを有するガイド層とデータを記録する記録層と積層して形成した光ディスクに対して情報の記録を行う光ディスク装置であって、
前記ガイド層用のレーザ光を出射するガイド層用光源と、
前記記録層用のレーザ光を出射する記録層用光源と、
前記ガイド層用光源と前記記録層用光源から出射されたレーザ光をガイド層と記録層へそれぞれ集光するための対物レンズと、
前記記録層用光源のレーザ発光を停止して前記記録層への記録動作を停止する記録停止部と、
前記光ディスクに対してデータを記録しているときに、前記ガイド層用光源と前記記録層用光源から出射されたレーザ光が前記ガイド層と前記記録層に対してそれぞれ略垂直に入射する領域において前記記録停止部が記録動作を停止するよう制御する制御部とを備えることを特徴とする光ディスク装置。
【請求項８】
請求項７に記載の光ディスク装置であって、
前記制御部は、前記光ディスクに対してデータを記録しているときに、当該記録データの最終記録位置から無効データを前記記録層に対して記録し、前記ガイド層用光源と前記記録層用光源から出射されたレーザ光が前記ガイド層と前記記録層に対してそれぞれ略垂直に入射する領域において、前記記録停止部による記録動作の停止を行なうよう制御することを特徴とする光ディスク装置。
【請求項９】
アドレス情報が付加されたトラックを有するガイド層とデータを記録する記録層と積層して形成した光ディスクに対して情報の記録を行う光ディスク記録方法であって、
前記光ディスクに対してデータを記録しているときに、ガイド層用光源及び前記記録層用光源から出射されたレーザ光をガイド層と記録層へそれぞれ集光するための対物レンズと前記光ディスクとの相対チルト量を検出するチルト量検出ステップと、
前記チルト量検出ステップで検出された前記相対チルト量が所定値以下となる領域で前記記録層用光源のレーザ発光を停止して前記記録層への記録動作を停止する記録動作停止ステップとを備えることを特徴とする光ディスク記録方法。
【請求項１０】
請求項９に記載の光ディスク記録方法であって、
前記光ディスクに対してデータを記録しているときに、当該記録データの最終記録位置から無効データを前記記録層に対して記録し、前記チルト量検出ステップで検出した前記相対チルト量が所定値以下の領域において、前記記録動作停止ステップの記録動作停止を行なうよう制御することを特徴とする光ディスク記録方法。
【請求項１１】
請求項９に記載の光ディスク記録方法であって、
前記記録動作停止ステップで記録動作の停止を行なう前記相対チルト量の当該所定値を、前記記録層と前記ガイド層との層間距離に応じて設定することを特徴とする光ディスク記録方法。
【発明の詳細な説明】
【技術分野】
【０００１】
本発明は、光ディスクの記録層において表面からの深さが異なる記録位置に対して情報の記録を行える光ディスク装置及び光ディスク記録方法に関する。
【背景技術】
【０００２】
近年、ＣＤやＤＶＤより高密度に情報を記録可能な光ディスクであるＢｌｕ−ｒａｙ  Ｄｉｓｃ（ＴＭ）において、さらに記録容量を増加させるために3層や4層の記録層を有する光ディスクが開発された。今後光ディスクの更なる大容量化を実現する方法としては、より多くの記録層を積層した光ディスクに対して記録・再生を行なうことが考えられる。
【０００３】
例えば、特許文献１では、トラッキングサーボ制御を行うための物理的な溝構造を持つ層(以下、ガイド層と称する)を設け、記録再生を行う層(以下、記録層と称する)には溝構造を持たない光ディスク(以下、グルーブレス光ディスクと称する）が示されており、記録層を多数積層する場合でも製造が容易であるとされている。
【先行技術文献】
【特許文献】
【０００４】
【特許文献１】特開２００９−１０４７１７号公報
【発明の概要】
【発明が解決しようとする課題】
【０００５】
グルーブレス光ディスクへの記録は、対物レンズからの記録用光軸がガイド層と記録層へ垂直に入射することを前提としたものである。したがって、光ディスクの反り、傾きが発生している場合、記録トラックは、記録層の仮想トラックから半径方向へ位置ずれして形成されてしまい、部分的に記録トラック間隔を狭めてしまう問題がある。このように記録トラック間隔が狭くなった部分にて記録層への記録を中断し、再び記録を中断した記録位置から追加記録を行った場合、繋ぎ記録部分の連続性が損なわれる問題、繋ぎ記録位置の記録品質の問題が発生する。さらに光ディスクを一旦光ディスク記録再生装置から取り外し再度装着すると、取り外し前の記録状態に対し光ディスクのチルト状態が変わってしまい、既記録トラック上に重ね書きする領域が発生し記録データを破壊してしまう可能性がある。
【０００６】
本発明の目的は、グルーブレス光ディスクの追加記録における繋ぎトラック部分のトラックの連続性、記録品位を損なわない追加記録が可能な光ディスク記録再生装置を提供することである。
【課題を解決するための手段】
【０００７】
上記課題は一例として特許請求の範囲に記載の構成により改善される。
【発明の効果】
【０００８】
本発明によれば、グルーブレス光ディスクの追加記録において、繋ぎ記録トラック部分の連続性の確保と、繋ぎ記録部分の記録品質を維持した追加記録が可能となる。
【図面の簡単な説明】
【０００９】
【図１】本発明の第１実施例における光ディスク装置のブロック構成図である。
【図２】本発明の第１実施例において、第１の光学系と第２の光学系でガイド層と記録層に光ビームを照射した図である。
【図３】本発明の第１実施例において、光ディスクが傾いた条件で第１の光学系と第２の光学系でガイド層と記録層に光ビームを照射した図である。
【図４】本発明の第１実施例において、光ディスクが傾いた条件で記録層への記録トラックを示した図である
【図５】本発明の第１実施例において、光ディスクのチルトと仮想トラックからのデトラックの関係を示す波形図である。
【図６】本発明の第１実施例における光ディスクのチルト検出信号を示した図である。
【図７】本発明の第１実施例における記録停止トラックとディスク歪み部の関係を示した図である。
【図８】本発明の第１実施例における記録停止トラックとディスク歪み部の関係を示す波形図である。
【図９】本発明の第２実施例における光ディスク装置のブロック構成図である
【図１０】本発明の第３実施例における光ディスク装置のブロック構成図である
【図１１】本発明の第３実施例の動作フローチャートである
【発明を実施するための形態】
【００１０】
以下、本発明の実施形態について図面を用いて説明する。
【実施例１】
【００１１】
以下、本実施例による光ディスク記録再生装置の光ディスクの構造とレーザー光軸との関係を図２に示す。光ディスク102はトラック(溝)構造を持つガイド層と、トラックの構造を持たない積層されたN個の記録層（N≧１、Nは自然数）を有する。対物レンズ311は、ガイド層へ光源１、記録層へ光源２を集光する。それぞれのレーザー光軸は記録層とガイド層に対して垂直に入射する。ガイド層に沿って記録層は理想的な記録トラック（以下仮想トラックと称す）が形成される。ここで光源１はガイド層用であって例えば650nmのレーザー光源、光源２は記録層用であって例えば405nmのレーザー光源を用いる。
【００１２】
次に、光ディスク102が傾いた状態を図３に示す。光ディスクが傾くまたは歪む要因によりチルトが発生した場合の記録層の記録トラックについて説明する。以下チルトは、対物レンズ311と光ディスク102の相対チルトを示し、光ディスク半径方向成分のチルトであるラジアルチルト量を意味する。光ディスク102がチルトθdeg傾斜した場合を図３に示す。記録する層は、例えばガイド層から積層方向に距離(d)離れた記録層(Ln)を記録する。この場合、記録トラックは、仮想トラックからΔDT=d・tanθデトラックした位置に記録されてしまう。一方、光ディスクが傾いていない場合の図２では、記録層とガイド層に対して垂直に光源１と光源２からのレーザスポットが照射されることから仮想トラックと記録トラックが一致した記録となる。
【００１３】
光ディスクのチルトは、光ディスク装着時の傾きと局部的なディスク面歪みに大別される。例えば、光ディスクに歪みがない理想平面状態で対物レンズに対して光ディスクが傾いている状態を図４−ａに示す。ここでは、以下説明のために、記録トラックの形状を同心円状にて図示し説明する。記録トラックは、光ディスクの傾き、歪みの状態により記録トラックが仮想トラックより外周をトレースする場合と内周をトレースする場合が周回毎交互に変化する。図４−ｂに仮想トラックと記録トラックとの位置関係の一例を示す。記録トラックは光ディスク中心軸からずれた略同心円状で記録され、記録トラックピッチが略等間隔に保たれることから記録トラックピッチ変動の問題は少ない。但し光ディスクをターンテーブルから取り外し再装着しないことを条件とする。しかし、光ディスクは理想的な平面ではなく、光ディスク周回内に部分的なディスク歪みが存在している。この部分的な光ディスクの歪み形状によっては、対物レンズと光ディスク面との相対チルトが光ディスク周回内で変動し、部分的に記録トラックピッチが規格値より狭くなる場合、或いは広くなる場合が発生する。
【００１４】
図５を用いて上記の説明をする。図５は光ディスク１回転内のチルト変動と、仮想トラックと記録トラックとのデトラック(ΔDT)変動量を示す図である。図５の５−Ａは、例えば光ディスク１回転内に部分的な歪み部が存在し、該歪みによるチルト(-0.1deg)が発生している状態を示している。仮想トラックのデトラック量(ΔDT)は、ガイド層と記録層との層間距離により大きさは異なり、例えば５−Ｂに示すガイド層からの層間距離が100umに位置する記録層(Ln)の場合、該光ディスク歪み部分における(ΔDT)は-0.20um、例えば、５−Ｃのガイド層からの層間距離が20umに位置する記録層(L0)の場合、該光ディスク歪み部分のデトラック量(ΔDT)は-0.04umである。このように、光ディスクの歪み部分においてはデトラック量(ΔDT)が仮想トラックからずれて記録されることになる。ここで仮想トラックのトラックピッチを例えば0.32umとすると、５−Ｂのデトラックによる記録トラックピッチのずれ量の影響は大きい。これは、例えば、記録を一旦中断し、該中断したトラックから追加記録を行う場合、前記部分的な光ディスク歪みによる記録トラックピッチのズレの影響で追加記録の繋ぎ部のトラックの連続性の低下、繋ぎ部の記録品質低下を発生する可能性がある。特に、前記部分的な光ディスクの歪み部は、光ディスクの回転による遠心力、振動により周回毎のチルト状態の再現性が低いことから、追加記録を実施する部分すなわち記録を停止する位置（アドレス）は、チルトの少ない光ディスク上アドレス位置に決め、仮想トラックに限りなく近い記録トラックとする必要がある。
【００１５】
図１に本発明に従う上記実現の光ディスク記録再生装置の一実施例を示すブロック構成図を示す。全体の構成要素と動作の流れについて説明する。光ディスク記録再生装置101は装置に装着された光ディスク102にレーザ光を照射することで情報の記録または再生を行い、SATA(Serial Advanced Technology Attachment)などのインターフェースを通じてPC(Personal Computer）などのホスト103と通信を行う。光ディスク装置101は、コントローラ201と信号処理手段202と、光ピックアップ203と、光ピックアップ203を光ディスク102の半径方向に移動するスライダモータ204と、スライダモータ204を駆動するスライダ駆動手段205と、光ピックアップ203中に備えられた球面収差補正素子309を駆動するための収差補正駆動手段206と、光ディスク102を回転するためのスピンドルモータ207と、スピンドルモータ207の回転に同期した信号を生成する回転信号生成手段208と、スピンドルモータ207を回転させるための回転信号を生成するスピンドル制御手段209と、スピンドル制御手段209が生成する回転信号に応じてスピンドルモータ207を駆動するスピンドル駆動手段210と、光ディスク102の記録層とレーザスポットの合焦位置とのずれ量を示すフォーカス誤差信号を生成するフォーカス誤差信号生成手段211と、フォーカス誤差信号に応じてフォーカス駆動信号を生成するフォーカス制御手段212と、フォーカス駆動信号に応じて光ピックアップ203中に備えられたアクチュエータ312を駆動するフォーカス駆動手段213と、光ディスク102のトラックとレーザスポットとの位置ずれ量を示すトラッキング誤差信号を生成するトラッキング誤差信号生成手段214と、トラッキング誤差信号に応じてトラッキング駆動信号を生成するトラッキング制御手段215と、トラッキング駆動信号に応じてアクチュエータ312を駆動するトラッキング駆動手段216と、光ディスク102のガイド層とレーザスポットの合焦点位置とのずれ量を示すリレーレンズ誤差信号を生成するリレーレンズ誤差信号生成手段217と、リレーレンズ誤差信号に応じたリレーレンズ駆動信号を生成するリレーレンズ制御手段218と、リレーレンズ駆動信号に応じてリレーレンズ321を駆動するリレーレンズ駆動手段219と、ACチルト検出手段220と、記録停止位置算出手段221を備えている。光ピックアップ203は、たとえば405nmと650nmの波長が異なる2つの光学系を備えている。
【００１６】
まず、405nmの光学系について再生時の動作を説明する。レーザドライバ301は、コントローラ201によって制御されており、レーザダイオード302を駆動する電流を出力する。レーザダイオード302は、駆動電流に応じた波形で波長405nmのレーザ光を出射する。出射されたレーザ光はコリメータレンズ303にて平行光となり、ビームスプリッタ304で一部が反射し、集光レンズ305によってパワーモニタ306に集光される。パワーモニタ306は、レーザ光の強度に応じた電流または電圧をコントローラ201にフィードバックする。これによって光ディスク102の記録層に集光するレーザ光の強度が、たとえば2mWなど所望の値に保持される。一方、ビームスプリッタ304を透過したレーザ光は偏光ビームスプリッタ307にて反射し、収差補正駆動手段206にて駆動される球面収差補正素子309によって収束・発散が制御される。球面収差補正素子309を通過したレーザ光は、特定の波長を反射し、指定以外の波長を透過させる機能を持つダイクロイックミラー308を透過したあと、1/4波長板310にて円偏光となり、対物レンズ311によって光ディスク102の記録層に集光される。ダイクロイックミラー308は、波長405nmの光を透過し、650nmの光を反射する。対物レンズ311は、アクチュエータ312によって、フォーカス方向とトラック方向に位置制御される。光ディスク102によって反射したレーザ光は、光ディスク102に記録された情報に応じて強度が変調される。1/4波長板310にて直線偏光となり、ダイクロイックミラー308および球面収差補正素子309を経て、偏光ビームスプリッタ307を透過する。透過したレーザ光は、集光レンズ313によってディテクタ314に集光する。ディテクタ314はレーザ光の強度を検出し、これに応じた信号を信号処理部202に出力する。信号処理部202は、ディテクタ314から出力された再生信号に対し増幅、等化、復号などの処理を行い、復号したデータをコントローラ201に出力する。コントローラ201はデータをホスト103に出力する。
【００１７】
またフォーカス誤差信号生成手段211は、ディテクタ314から出力された信号から、記録層に対するフォーカス誤差信号を生成する。フォーカス制御手段212はコントローラ201からの指令信号により、フォーカス誤差信号に対応したフォーカス駆動信号をフォーカス駆動手段213に出力する。フォーカス駆動手段213はフォーカス駆動信号に応じて、アクチュエータ312をディスク面に垂直な方向（フォーカス方向）に駆動する。上述したようにフォーカス制御手段212とフォーカス駆動手段213が動作することで、光ディスク102の記録層に照射されたレーザスポットが常に記録層で合焦するようにフォーカス制御が行われる。記録を行う際にはホスト103からコントローラ201へと記録データを入力する。コントローラ201は、入力されたデータに対応した記録波形をレーザドライバ301へ出力する。レーザドライバ301は、記録波形に応じた駆動電流をレーザダイオード302に出力し、レーザダイオード302が対応した波形でレーザ光を出射して光ディスク102の記録層に記録が行われる。
【００１８】
次に、650nmの光学系について説明する。本光学系については、記録時と再生時での動作の差異はない。405nmの光学系と同様に、レーザドライバ301がレーザダイオード315を駆動し、レーザダイオード315は波長650nmのレーザ光を出射する。レーザ光の一部は、コリメータレンズ316、ビームスプリッタ317、集光レンズ318を経て、パワーモニタ319にてパワーがモニタされる。モニタしたパワーをコントローラ201にフィードバックすることで、光ディスク102のガイド層に集光するレーザ光の強度が、たとえば3mWなど所望のパワーに保持される。ビームスプリッタ317を透過したレーザ光は、偏光ビームスプリッタ320を透過し、リレーレンズ321にて収束・発散および位置の制御が行われる。リレーレンズ321を経たレーザ光は、ダイクロイックミラー308にて反射し、1/4波長板310を経て、対物レンズ311により光ディスク102のガイド層に集光する。光ディスク102にて反射したレーザ光を偏光ビームスプリッタ320にて反射し、集光レンズ322にてディテクタ323に集光する。リレーレンズ誤差信号生成手段217は、ディテクタ323から出力された信号から、光ディスク102のガイド層に対するフォーカス方向およびトラッキング方向の誤差信号であるリレーレンズ誤差信号を生成する。リレーレンズ制御手段218はコントローラ201からの指令信号により、リレーレンズ誤差信号に応じたリレーレンズ駆動信号を生成する。リレーレンズ駆動手段219はリレーレンズ駆動信号に応じてリレーレンズ321を駆動し、ガイド層にレーザスポットを位置づけする。
【００１９】
またスライダ駆動手段205、収差補正駆動手段206、スピンドル制御手段209に関しても、コントローラ201からの指令信号により動作する。なお、ここではレーザダイオード302とレーザダイオード315を駆動するために同一のレーザドライバ301を用いたが、それぞれのレーザダイオードに固有のレーザドライバを備えても良い。また、球面収差補正素子309は、405nmの光学系および650nmの光学系の両方に影響する位置に配置されてもよく、たとえば1/4波長板310とダイクロイックミラー308の間に設置しても良い。次に再生時のトラッキング制御について説明する。405nm光学系においてトラッキング誤差信号生成手段214は、ディテクタ314から出力された信号から、光ディスク102の記録層に対するトラッキング誤差信号を生成する。一方記録時のトラッキング制御において、650nm光学系においてトラッキング誤差信号生成手段214は、ディテクタ323から出力された信号より、光ディスク102のガイド層に対するトラッキング誤差信号を生成する。トラッキング制御手段215は405nm光学系あるいは650nm光学系で生成されたトラッキング誤差信号を選択し、コントローラ201からの指令信号により誤差信号に応じたトラッキング駆動信号を生成する。トラッキング駆動手段216はトラッキング駆動信号に応じてアクチュエータ312をディスクの半径方向に駆動する。なおアクチュエータ312は405nm光学系および650nm光学系共用になっている。
【００２０】
次に、光ディスク102のチルト変動量の検出について説明する。光ディスクのガイドガイド層のトラックに所定アドレス間隔毎に特殊情報(VFOピット)を埋め込む構成としている。そのＶＦＯピットからリアルタイムでチルト量を検出する。
【００２１】
チルト検出方法を図６に示す。６−Ａはガイド層のトラック構造の一例を示す。凸トラックのLanｄ Trackと凹トラックのGroove Trackが交互にスパイラル状態を成し、これらのトラックは一定のアドレス間隔でアドレス情報を示すピット部を挟み込んだ構造としている。このピット部は、所定のアドレス間隔毎に配置し、アドレスピット部(405,406)とアドレスピットの再生信号引き込み用とするVFOピット(401,402,403,404)から構成している。VFOピットはGroove TrackとLand Trackとの境界上に配置し、ピット部前半(401,403)と後半(402,40４) （図の白い部分がVFO,黒い部分ガイドレスピットを示す）で１トラックずらした位置関係構造とした。こうすることで対物レンズの傾きに応じてVFOピット信号からの検出電位をチルト観測信号とすることができる。例えば、チルトが0degの場合は６−Bに示すように、VFOピット信号のボトム電位の前半(e1)と後半(e2)が等しくなり、チルト量（Δtilt0）はe1-e2=0より検出できる。チルト＋αdegが生じると６−Cに示すようにVFOピット信号のボトム電位の前半(e3)と後半(e4)に差が生じることから、チルト量（Δtilt1）はe3-e4で検出できる。チルト-αdegが生じると６−Dに示すようにVFOピット信号ボトム電位の前半(e5)と後半(e6)に差が生じることからチルト量（Δtilt2）はe5-e6で出力できる。ピット部の再生信号は、ガイド層から得られる再生信号をディテクタ323より得て、ACチルト検出手段220とアドレス検出手段222へ入力する。ACチルト検出手段220は、リアルタイムにてチルト量を検出し,アドレス検出手段222は、チルト量を検出したアドレス情報を再生して、それぞれ記録停止位置算出手段221へ入力する。記録停止位置算出手段221は、ガイド層のピット部より検出されたアドレス情報とチルト量を基に記録停止を許可するアドレスの算出を行う。アドレス算出はガイド層の記録データ最終アドレス以降から光ディスク１回転内であって、例えば、リアルタイムで検出しているチルト量が、チルト閾値±0.1deg以下となるアドレスを推定して記録停止を許可するアドレスとする。すなわち、記録停止アドレスは、記録データ最終アドレスではなく、光ディスクの歪み状態が少ないアドレス位置とする。言い換えれば、検出しているチルト量がチルト閾値±0.1deg以上の領域ではデータ記録をしている場合、記録動作の停止を禁止するよう制御する。
【００２２】
図７を用いて、記録停止を許可するアドレスの算出一例について説明する。図７は、ガイド層のトラックを示し、現在記録しているカレントトラックをTrack-c、カレントトラックよりnトラック外周のトラックをTrack-nとする。光ディスクの歪部にかかるTrack-cの光ディスクチルト量が,例えば、チルト検出閾値(±0.1deg)以上を検出したアドレスをBad_Aｄｒとするとき、Track-n上で光ディスクの歪部にさしかかると推定されるアドレス(Next_Bad_Adr)は、
Next_Bad_Adr = ( 2 ＊ ( R ＋ Tp ＊ n ) ＊ π / L ＋ Bad_Adr
により算出できる。ここで、Rはカレントトラックの半径、Tpはガイド層のトラックピッチ、Ｌは記録の最小単位であるセクタ長、ｎはカレントトラックからの外周方向へのトラック本数を示す。記録効率の面からn=1で説明を行ったが本数値には限定されない。
【００２３】
ここで図８を用いて、記録停止位置のコントロールについて説明する。８-Bは、横軸に時間軸、縦軸に記録層(L0)における仮想トラックからのデトラック量(ΔDT)を示す。記録停止を禁止するチルト部分のデトラック量を例えば±0.08um以上に設定する。８-Aは、横軸に時間軸、縦軸にチルト量を示し、歪み部分は光ディスク１回転内に１箇所存在し周回毎に該歪み部分を通過している様子を示す。前記設定したデトラック量より記録停止を禁止するチルト閾値は±0.1deg以上に設定し、光ディスク歪み部分の記録停止を禁止するアドレスを算出する。記録の最小単位はセクタという小ブロック単位で記録を行い、セクタ毎にアドレスを割り当てる。８-Cに、光ディスクのスパイラル方向に連続してならぶセクタ列と記録停止禁止セクタとの関係を示す。記録データの最終アドレスをDataEnd_Adr、記録を停止するアドレスをWriteStop_Adr、記録の停止を許可するアドレスをGoodStop_Adr、記録の停止を禁止されるアドレスをBad_Adr、とするとき、記録を停止するアドレス(WriteStop_Adr)は、記録データの最終アドレス（DataEnd_Adr）以降のアドレスで且つ、記録停止を許可するアドレス（GoodStop_Adr）で且つ、DataEnd_Adrに近いことが最良である。例えば,８-Cのセクタ501がDataEnd_Adrの場合、WriteStop_Adrはセクタ502からセクタ503の間のGoodStop_Adrであれば良い。データの利用効率面からWriteStop_Adrは、Bad_Adr直後のセクタ502を選択する。WriteStop_Adrの選択は、502に設定したが、Bad_Adr直後のチルト安定性の状態によっては、Bad_Adrから数セクタ後のセクタ504を選択しても良い。
【００２４】
以上のように、記録の停止を許可されるアドレス(GoodStop_Adr)は、データ記録を停止するアドレス(WriteStop_Adr)以降に連続するアドレスであって、光ディスクの歪部を避けたアドレスである。該記録の停止を許可されるアドレス(GoodStop_Adr)は、図１の記録停止位置算出手段221により算出され、コントローラ201へそのアドレス情報が入力される。コントローラ201は、該アドレス情報に応じて、光ディスク102への記録停止位置をコントロールする。WriteStop_Adrは、DataEnd_Adr以降のアドレスになることから実記録データに加え追加データの記録が必要である。
コントローラ201では、GoodStop_Adrに１セクタ加算したアドレス以降から、WriteStop_Adrまでの期間は、記録すべきデータに例えば無効データを付加することで、WriteStop_Adrまでの記録を行う。
以上、実施例１によれば、記録を停止、中断するアドレスを、光ディスクのチルトが所定値以下となるアドレス位置にコントロールすることができる。記録層への記録トラックを仮想トラックに近づけた状態、すなわち記録層とガイド層に対して略垂直に光源１と光源２からのレーザスポットが照射される状態、にて記録停止を実現することができる。これにより、追加記録を行う際に、光ディスク歪みによる記録トラックピッチのズレの影響で追加記録の繋ぎ部のトラックの連続性の維持、繋ぎ部の記録品質低下を改善できる効果がある。
【実施例２】
【００２５】
以下、第二の実施の形態を図９に基づいて説明する。図１と同一機能ブロックの説明は省略する。図９の構成は図１の構成要素に、ガイド層とカレント記録層との層間距離を検出する層間検出手段223を備える。光ディスク構造は先に示した図２の構造をしており、ガイド層から各々の記録層までの層間距離は既知であり、カレント記録層の層ナンバーを検出することで、ガイド層とカレント記録層との層間距離を層間検出手段223にて算出することができる。層間検出手段223は、記録に先立って波長405nmの再生パワーのレーザ光を目的の記録層へ集光させる際、光ディスクの表面に近い記録層(Ln)からカレント記録層まで順次フォーカスの集光位置を切替える。記録層の切り変わりを示すフォーカス誤差信号の変化信号を順次カウントすることにより、カレント記録層ナンバーを知ることができる。
【００２６】
本実施例では、上記手段によりカレント記録層ナンバーを検出したがこの方法に限定することはなく、例えばあらかじめ光ディスク製造時に、各記録層毎に記録層の所定位置へ層番号を記録し、カレント記録層において記録層番号を読み出しすることでカレント記録層ナンバーを検出してもよい。
【００２７】
先にも説明したとおり、記録トラックと仮想トラックとのずれ量を示すデトラック量(ΔDT)は、チルト量をθとすると、ΔDT=d・tanθ の関係にあり、ガイド層と記録層との層間距離(d)によりデトラック量が異なる。各々の記録層でデトラック量(ΔDT)が均一となるチルト量θの設定が望ましい。
【００２８】
カレント記録層の層間距離(d)情報は層間検出手段223にて検出し、記録停止位置算出手段221へ入力する。記録停止位置算出手段221は、層間距離(d)情報に応じてチルト閾値を例えば、θ=Atan(ΔDT/d)の関係にてチルト閾値の設定を切り替えることにより、各々記録層において同量のデトラック量に対する記録停止位置を許可するアドレスGoodStop_Adrを検出することができる。
【００２９】
以上、第二の実施の形態によれば、各記録層において、仮想トラックからのデトラック量を同量とするチルト量を設定することができることから、ガイド層と記録層との距離が近いほどチルト閾値を緩く設定することができ、記録停止を許可できるアドレスGoodStop_Adrを十分確保することができる効果がある。
【実施例３】
【００３０】
以下、第三の実施の形態を図10に基づいて説明する。図１と同一機能ブロックの説明は省略する。図10の構成は図１の構成要素に、入力端子224、Disc排出選択手段225、Layer Closed処理手段226を備える。第三の実施では、ディスク歪み状態に応じて記録層の記録停止アドレスをコントロールするに加え、ディスクが一旦取り外され、再び装着された場合の追加記録の禁止動作対応について説明する。
【００３１】
図４−ｂで前述したように、グルーブレス光ディスクの記録トラックの連続性を維持する条件には、同一記録面において、ディスクの傾きを記録の途中で変更しないことが前提条件である。すなわち光ディスクをターンテーブルから取り外す場合は、記録途中の記録層への追加記録を禁止する制御が必要となる。図10の入力端子224は、ディスク取り出し要求の入力端子であり、Ｄｉｓｃ排出選択手段225へ入力される。Disc排出選択手段225は、ディスク取り出し指示があったことを検出すると、LayerＣｌｏｓｅｄ処理手段226へその検出結果を伝える。LayerＣｌｏｓｅｄ処理手段226は、記録を中断した記録層への追加記録を禁止する処理指令をコントローラ201へ入力する。
【００３２】
所定の記録層、例えば記録層(L0)内の所定位置、例えば最内周の位置に、記録層全体の管理情報を記録する領域を備えてあって、記録層の記録停止が発生するとコントローラ201からの指令により、前記のディスク管理情報の記録領域へ記録停止アドレス情報を記録する。各記録層毎の最終アドレスは既知であって、記録停止アドレスが最終アドレスに未達の場合は記録途中であって、追加記録が許可される。ディスク排出操作を契機に記録途中の記録層の記録停止アドレスを最終アドレスとする管理情報を前記管理情報に記録することで、記録層の記録途中であってもその記録層への追加記録を禁止することができる。
【００３３】
図11を用いて、上記の動作フローの説明をする。図11-Aは、記録を一時中断(停止)した状態(S510)からの動作フローを示す。光ディスクを取り出し操作指令を入力端子224より受つけ、Ｄｉｓｃ排出選択手段225にて、Ｄｉｓｃの取り出し操作が有ったことを判定する(S511)。Ｄｉｓｃの取り出し操作を検出すると、全体の記録層を管理する管理領域を備え持つ記録層、例えば記録層(L0)へ記録層用のレーザービームを再生パワーにて層移動を行う(Ｓ５１２)。記録層(L0)へ移動後、管理情報を記録する領域、例えば最内周のアドレスへ記録層用のレーザービームを再生パワーにて位置付を行う(S513)。各記録層の記録停止アドレスを最終アドレスとする管理情報の記録を行い、記録を中断している記録層への追加記録を禁止する(S514)。未記録の記録層に関しての記録は禁止されない。ディスク取り外し再装着後においても未記録の記録層への記録は可能とされる。
【００３４】
以上までが完了すると、Ｄｉｓｃの取り出し動作を実施する(515)。Discの取り出しは、ディスクが停止している時に、強制的にディスクを手動等により取り出しできないようする機構が必要である。例えば、ディスクをチャッキングする機構を電磁力で維持する構成とし、図１１−Ａのフローが終了しない限りは、ディスクを取り外しができない。
次に、前記記録層(Lo)の管理情報の再生とその管理情報に応じた追記記録禁止の動作について、
図１１−Ｂのフローを説明する。ディスクを装着する(S518)。スピンドルモーターに装着されたことを検出し、スピンドルを所定の回転数にて回線を開始する(S519)。次に記録層へ再生用レーザーを点灯(S520)し、管理情報を持つ記録層(Lo)へフォーカス引き込み(S521)とトラックの引き込み(S522)を行う。次に記録層(Lo)の管理情報のアドレスへ位置付を行う。該管理情報内の追加記録許可情報を読み出す(S524)。その結果、追加記録が禁止されていると判定の場合(S525)は、該各層の追加記録を禁止(S527)する。あるいは記録中断アドレスからの追加記録を禁止する。追加記録が禁止されていない記録層は未記録領域であり、該記録層に対しては新規に記録を行う(S526)ことができる。
【００３５】
以上、第三の実施の形態によれば,記録を一時中断しディスクを取り出し、再装着することで、該中断した記録層への追加記録を禁止することができ、グルーブレス光ディスクの追加記録による既記録部への重ね書きを無くすことができる効果がある。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００３７】
101 光ディスク記録再生装置
102 光ディスク
103 ホスト
201 コントローラ
202 信号処理部
203 光ピックアップ
220 ACチルト検出手段
221 記録停止位置算出手段
222 アドレス検出手段
223 層間検出手段
311 対物レンズ
312 アクチュエータ
401〜404 VFOピット
405,406 アドレスピット
【図１】
2013206494.tif 000003
【図２】
2013206494.tif 000004
【図３】
2013206494.tif 000005
【図４】
2013206494.tif 000006
【図５】
2013206494.tif 000007
【図６】
2013206494.tif 000008
【図７】
2013206494.tif 000009
【図８】
2013206494.tif 000010
【図９】
2013206494.tif 000011
【図１０】
2013206494.tif 000012
【図１１】
2013206494.tif 000013